(57)【要約】【課題】  ＣＤＭＡ方式における基地局でのベースバンド信号の送信拡散処理を行うＬＳＩにおいて、自己の回路機能の正常性を確認できるようにして、拡散回路の不良を内部で検出可能とする。【解決手段】  試験データ生成回路１０からの試験データを試験チャネル選択回路１２−１を介して拡散回路６−１〜６−Ｎに択一的に供給し、その拡散出力を試験チャネル選択回路１２−２を介して試験データ照合回路１４へ導出する。この試験データ照合回路１４において、期待値データＲＯＭ１６内の期待値データと照合し、その照合結果を試験結果レジスタ１５を介して外部のＣＰＵに取出すように構成する。拡散回路を含む送信ベースバンド信号処理回路１７のＬＳＩ内に、これら試験回路を集積化して組込んでおくことで、自己の回路機能の正常性を確認できる。【選択図】      図１
2008148171.tif 000002
【特許請求の範囲】
【請求項１】
ＣＤＭＡ方式の通信装置における拡散回路の試験装置であって、
前記拡散回路へ試験データを供給する手段と、
その拡散出力と期待値データとの照合をなす手段とを含むことを特徴とする試験装置。
【請求項２】
ＣＤＭＡ方式の通信装置における拡散回路の試験装置であって、
前記拡散回路へ試験データを供給する手段と、
前記試験データを拡散する手段と、
前記拡散回路の拡散出力と前記試験データの拡散出力との照合をなす手段とを含むことを特徴とする試験装置。
【請求項３】
ＣＤＭＡ方式の通信装置における拡散回路の試験装置であって、
前記拡散回路へ試験データを供給する手段と、
その拡散出力を逆拡散する手段と、この逆拡散出力と前記試験データとの照合をなす手段とを含むことを特徴とする試験装置。
【請求項４】
前記拡散回路は集積回路化されており、この集積回路と共に集積化されていることを特徴とする請求項１〜３いずれか記載の試験装置。
【請求項５】
請求項１〜４いずれか記載の試験装置を含むことを特徴とする通信装置。
【請求項６】
ＣＤＭＡ方式の通信装置における拡散回路の試験方法であって、
前記拡散回路へ試験データを供給するステップと、
その拡散出力と期待値データとの照合をなステップとを含むことを特徴とする試験方法。
【請求項７】
ＣＤＭＡ方式の通信装置における拡散回路の試験方法であって、
前記拡散回路へ試験データを供給するステップと、
前記試験データを拡散するステップと、
前記拡散回路の拡散出力と前記試験データの拡散出力との照合をなすステップとを含むことを特徴とする試験方法。
【請求項８】
ＣＤＭＡ方式の通信装置における拡散回路の試験方法であって、
前記拡散回路へ試験データを供給するステップと、
その拡散出力を逆拡散するステップと、
この逆拡散出力と前記試験データとの照合をなすステップとを含むことを特徴とする試験方法。
【発明の詳細な説明】
【技術分野】
【０００１】
本発明は通信装置における拡散回路の試験装置及びその方法並びにそれを用いた通信装置に関し、特にＣＤＭＡ（Code Division Multiple Access ）方式における通信装置の拡散回路の試験方式に関するものである。
【背景技術】
【０００２】
移動通信システムにおいては、互いに直交する符号により拡散された信号を符号分割多重した情報信号を用いて、基地局と移動局との間の無線通信を、符号分割多元接続（ＣＤＭＡ：Code Division Multiplex Access）方式のスペクラム拡散技術により行うようになっている。
【０００３】
このようなＣＤＭＡ方式の基地局の送信回路を、図４を参照して説明する。Ｍ個（Ｍは自然数）のチャネル符号化部１−１〜１−Ｍより送出された送信チャネルの各々のシンボルデータは、送信ベースバンド信号処理部１７へ入力される。この送信ベースバンド信号処理部１７では、チャネル符号化部１−１〜１−Ｍの各々からのデータが、データ受信回路２により受信され、これら受信された各チャネルのシンボルデータは、試験チャネル選択回路１２−３を介してメモリ書込み回路３へ入力される。このメモリ書込み回路３では、各チャネルのシンボルデータが送信チャネル毎に拡散回路に割当てられることにより、送信チャネルに対応したバッファメモリ４の領域へ、これらシンボルデータが書込まれることになる。
【０００４】
バッファメモリ４に格納された送信チャネル毎の送信シンボルデータは、メモリ読出し回路５によって、送信チャネル毎の送信フレームタイミングに合わせて読出され、Ｎ個（Ｎは自然数）の拡散回路６−１〜６−Ｎに送られて各送信チャネル毎に拡散される。各拡散回路６−１〜６−Ｎから出力された拡散信号は、加算回路７において、送信セクタ毎に加算合成された後、直交変調回路８に入力されて変調波とされ、後段の無線周波数信号処理回路９へ送出されるようになっている。なお、この無線周波数信号処理回路９では、無線周波数への変換及び増幅が行われる。
【０００５】
このような基地局における送信ベースバンド信号処理回路１７は、全てデジタル論理回路で構成されているので、容易に集積回路化が可能であり、一般に、大規模集積回路（ＬＳＩ）により実現されている。
【０００６】
従来、当該ＬＳＩの回路規模の大幅な増大を避けるために、拡散回路６−１〜６−Ｎによる拡散出力信号の正常性を確認するための手段は、このＬＳＩ中には具備されていないものの、拡散回路６−１〜６−Ｎよりも前段部分に、送信シンボルデータ試験回路１９を設けておき、送信ベースバンド信号処理回路１７の入力段における機能の正常性を確認する技術は存在している。
【０００７】
すなわち、図４に示す如く、試験データレジスタ２０により、既知のシンボルデータがチャネル符号化部１−１〜１−Ｍへ入力され、試験チャネル選択回路１２−３によって選択されたあるチャネルのシンボルデータと、試験データレジスタ２０からの既知のシンボルデータとが、試験データ照合部１４において照合される。この照合結果が照合結果レジスタ１５に保存されるようになっている。
【０００８】
ここで、特許文献１を参照すると、ある信号処理回路の処理機能の正常性を試験するために、パターン発生器から既知のパターンデータを、この信号処理回路へ供給し、この信号処理回路からの出力を、当該信号処理回路とは逆の処理をなす、別の信号処理回路へ供給する。そして、パターン発生器のパターンデータと、この別の信号処理回路の出力パターンデータとを比較することにより、信号処理回路の自己試験を可能としている。
【０００９】
【特許文献１】特開平２−１８６２８０号公報
【発明の開示】
【発明が解決しようとする課題】
【００１０】
図４に示した従来の送信ベースバンド信号処理機能を有するＬＳＩでは、回路の大規模化や複雑化が進むにつれて、出荷検査などにおいて、全ての機能の正常性確認を行うことは、時間的な制約などから、非常に困難となっており、またＬＳＩでの故障発生時に、内部の故障を検出特定することも非常に困難であることが多く、異常動作の原因の特定に非常な労力を要するという問題がある。このように、近年のＬＳＩの更なる大規模化に伴って、本来、動作機能が設計保証されているべきＬＳＩで故障が発生してしまたっときの検出の困難性が問題となってきている。
【００１１】
特に、図４に示した従来のＣＤＭＡ送信回路では、送信ベースバンド信号処理回路１７の内部の拡散回路に故障が発生した場合には、送信ベースバンド信号処理回路１７自らがそれを検出することはできない。また、上述した特許文献１の技術では、移動通信システムにおけるＣＤＭＡ方式の基地局の送信ベースバンド信号処理回路を対象としたものではないために、拡散回路の故障発生の自己検出を意図したものではない。
【００１２】
本発明の目的は、ベースバンド信号の送信拡散処理を行う集積回路において、自己の回路機能の正常性を確認できるようにして、拡散回路の不良を内部で検出できるようにしたベースバンド処理回路を提供することである。
【課題を解決するための手段】
【００１３】
本発明による試験装置は、ＣＤＭＡ方式の通信装置における拡散回路の試験装置であって、前記拡散回路へ試験データを供給する手段と、その拡散出力と期待値データとの照合をなす手段とを含むことを特徴とする。
【００１４】
本発明による他の試験装置は、ＣＤＭＡ方式の通信装置における拡散回路の試験装置であって、前記拡散回路へ試験データを供給する手段と、前記試験データを拡散する手段と、前記拡散回路の拡散出力と前記試験データの拡散出力との照合をなす手段とを含むことを特徴とする。
【００１５】
本発明による更に他の試験装置は、ＣＤＭＡ方式の通信装置における拡散回路の試験装置であって、前記拡散回路へ試験データを供給する手段と、その拡散出力を逆拡散する手段と、この逆拡散出力と前記試験データとの照合をなす手段とを含むことを特徴とする。
【００１６】
本発明による通信装置は、上記の試験装置を含むことを特徴とする。
【００１７】
本発明による試験方法は、ＣＤＭＡ方式の通信装置における拡散回路の試験方法であって、前記拡散回路へ試験データを供給するステップと、その拡散出力と期待値データとの照合をなステップとを含むことを特徴とする。
【００１８】
本発明による他の試験方法は、ＣＤＭＡ方式の通信装置における拡散回路の試験方法であって、前記拡散回路へ試験データを供給するステップと、前記試験データを拡散するステップと、前記拡散回路の拡散出力と前記試験データの拡散出力との照合をなすステップとを含むことを特徴とする。
【００１９】
本発明による更に他の試験方法は、ＣＤＭＡ方式の通信装置における拡散回路の試験方法であって、前記拡散回路へ試験データを供給するステップと、その拡散出力を逆拡散するステップと、この逆拡散出力と前記試験データとの照合をなすステップとを含むことを特徴とする。
【発明の効果】
【００２０】
本発明によれば、送信ベースバンド信号の拡散処理の正常性を、ベースバンド処理回路のＬＳＩ単体でも、容易に確認することができ、よってこれまでのように多くの時間を費すことなく、部品の故障判定が可能となるという効果がある。
【発明を実施するための最良の形態】
【００２１】
以下に、本発明の実施の形態について、図面を用いて説明する。図１は本発明の一実施の形態を示すブロック図であり、図４と同等部分は同一符号により示している。図１において、チャネル符号化部１−１〜１−Ｍ、データ受信回路２、メモリ書込み回路３、バッファメモリ４、メモリ読出し回路５、拡散回路６−１〜６−Ｎ、加算回路７、直交変調回路８、無線周波数信号処理回路９は、図４の対応する部分と同一である。
【００２２】
本例では、データ受信回路２とメモリ書込み回路３との間に、試験チャネル選択回路１２−１を設け、また、拡散回路６−１〜６−Ｎと加算回路７との間に、試験チャネル選択回路１２−２を設けている。そして、送信拡散機能試験回路１８を、送信ベースバンド信号処理回路１７を実現しているＬＳＩ内に設けることにより、ＬＳＩ自らが持つベースバンド信号の送信拡散処理機能の正常性を試験する機能を追加している。
【００２３】
送信拡散機能試験回路１８は、試験データ生成回路１０と、試験データＲＯＭ１１と、試験データ照合回路１４と、試験結果レジスタ１５と、期待値データＲＯＭ１６とを有している。試験データ生成回路１０は試験データＲＯＭ１１から試験データを読出してチャネル符号化部からのシンボルデータと同じ形式の信号として試験チャネル選択回路１２−１へ出力する。試験データＲＯＭ１１は試験用のシンボルデータを格納している。
【００２４】
試験データ照合回路１４は、試験チャネル選択回路１２−２により選択された試験データの拡散出力と、期待値データＲＯＭ１６からの期待値データとを照合して、一致しているかどうかを判定する。照合結果レジスタ１５は、試験データ照合回路１４の判定結果を格納し、図示せぬＣＰＵから結果を読出すことができる。期待値データＲＯＭ１６は、予め拡散された試験データを算出して格納している。このような構成により、試験用送信シンボルデータを自ら発生させて、送信ベースバンド信号処理回路１７に入力し、拡散処理後の出力信号を取出して、出力期待値と照合した結果を、レジスタ１５を介してＣＰＵへ報告できるようになっている。
【００２５】
図１に示した本実施の形態の動作について説明する。先ず、試験データＲＯＭ１１には、予め定められた条件での試験用のシンボルデータ情報（Ｉ／Ｑデータ、振幅データなど）が格納されている。この情報は試験データ生成回路１０において読出されてチャネル符号化部から入力されるシンボルデータと同じ形式の信号とされる。試験信号は、試験チャネル選択回路１２−１によりチャネル符号化部からのシンボルデータの代りにバッファメモリ４へ書込まれて、しかる後に、拡散回路による拡散処理が行われる。このとき、この試験信号は、試験チャネル選択回路１２−１において、試験時に、送信チャネルが順次選択されて、全チャネルに亘って試験が実施されることになる。
【００２６】
拡散処理後の試験信号は、試験チャネル選択回路１２−２により選択されて、試験データ照合回路１４において、期待値データＲＯＭ１６から読出されて予め算出された拡散期待値データと照合される。この照合結果の一致か不一致が、照合結果レジスタ１５へ格納される。このレジスタ１５の格納内容は、図示せぬＣＰＵにより読出されるようになっている。
【００２７】
ここで、拡散後のデータは、元のシンボルデータに対して、通常、数倍から数百倍高速のチップレートで拡散された信号である。このために、一定期間の拡散期待値のデータ量はシンボルデータの数倍から数百倍に達することになる。従って、この点を改良したものが、図２及び図３に示す第二及び第三の実施の形態である。
【００２８】
先ず、図２を参照すると、図２において、図１と同等部分は同一符号により示している。本例では、図１の期待値データＲＯＭ１６の代りに、試験用拡散回路２１を設け、試験用データＲＯＭ１１からのシンボルデータを、通常の拡散回路６−１〜６−Ｎとは別の専用の拡散回路２１にて拡散して、拡散期待値データを得るようにしている。これにより、大規模な期待値データＲＯＭ１６を設ける必要がなくなり、回路規模が削減できることになる。
【００２９】
次に、図３を参照すると、図１と同等部分は同一符号により示している。本例では、図１の試験データＲＯＭ１１の代りに、試験データレジスタ２０を設け、図示せぬＣＰＵより、試験データを、このレジスタ２０へ供給することにより、試験データＲＯＭ１１を省略することができるようにしている。
【００３０】
また、図１の期待値データＲＯＭ１６を用いる代りに、試験チャネル選択回路１２−２で選択された試験データの拡散出力を逆拡散するための逆拡散回路１３を設けている。こうすることにより、拡散後の期待値をデータとしてＲＯＭに持つ必要がなく、更に、試験データ照合回路１４でのデータ照合を低速のシンボルレートにて行うことが可能になる。
【００３１】
以上のように、ベースバンド信号の送信拡散処理を行うＬＳＩにおいて、自己の回路機能の正常性を確認できる機能を予め作り込んでおくことにより、ＬＳＩ自身の不良を内部で検出することが可能になる。
【図面の簡単な説明】
【００３２】
【図１】本発明の第一の実施の形態を示すブロック図である。
【図２】本発明の第二の実施の形態を示すブロック図である。
【図３】本発明の第三の実施の形態を示すブロック図である。
【図４】従来技術を示すブロック図である。
【符号の説明】
【００３３】
１−１〜１−Ｍ  チャネル符号化部
２  データ受信回路
３  メモリ書込み回路
４  バッファメモリ
５  メモリ読出し回路
６−１〜６−Ｎ  拡散回路
７  加算回路
８  直交変調回路
９  無線周波数信号処理回路
１０  試験データ生成回路
１１  試験データＲＯＭ
１２−１〜１２−２  試験チャネル選択回路
１３  逆拡散回路
１４  試験データ照合回路
１５  照合結果レジスタ
１６  期待値データＲＯＭ
１７  送信ベースバンド信号処理回路
１８  送信拡散機能試験回路
【図１】
2008148171.tif 000003
【図２】
2008148171.tif 000004
【図３】
2008148171.tif 000005
【図４】
2008148171.tif 000006